(57)【要約】【課題】簡易な手順で適度な濃度を設定することができ、ユーザの利便性を向上させることができる画像処理装置を提供する。【解決手段】所定の原稿から画像データを読み取る読取手段（原稿読取部１００）と、読み取られた画像データの所定の領域の濃度を複数段階に変更させる濃度変更手段（制御部１０１）と、濃度を変更させた所定の領域の各画像データについて濃度に関する特徴を抽出する特徴抽出手段（制御部１０１）と、抽出結果を表示する表示手段（表示部１０５）と、表示結果に基づいて画像データについての所定の濃度を設定する設定手段（ユーザインターフェイス部１０２）と、設定結果に基づいて画像データの画像形成を行う画像形成手段（出力部１０６）とを備える。【選択図】図２
2009171425.tif 000002
【特許請求の範囲】
【請求項１】
所定の原稿から画像データを読み取る読取手段と、
該読取手段で読み取られた画像データの所定の領域の濃度を複数段階に変更させる濃度変更手段と、
該濃度変更手段で濃度を変更させた前記所定の領域の各画像データについて濃度に関する特徴を抽出する特徴抽出手段と、
該特徴抽出手段の抽出結果を表示する表示手段と、
該表示手段の表示結果に基づいて前記画像データについての所定の濃度を設定する設定手段と、
該設定手段による設定結果に基づいて前記画像データの画像形成を行う画像形成手段と、
を備えることを特徴とする画像処理装置。
【請求項２】
前記特徴抽出手段は、前記所定の領域の各画像データにおける最大濃度と最小濃度を抽出することを特徴とする請求項１に記載の画像処理装置。
【請求項３】
前記所定の領域を指定する領域指定手段を備えることを特徴とする請求項１または請求項２の何れかに記載の画像処理装置。
【請求項４】
前記特徴抽出手段は、
前記所定の原稿の地肌濃度に応じて前記所定の領域の各画像データについて地肌除去処理を行う地肌除去手段と、
該地肌除去手段で地肌除去処理された前記所定の領域の各画像データの画素数を計数する計数手段と、
前記地肌除去手段で地肌除去処理された前記所定の領域の各画像データの各画素の濃淡を示す濃淡値と画素数との関係を示すヒストグラムを作成するヒストグラム生成手段と、
前記計数手段の計数結果および前記ヒストグラム生成手段で生成されたヒストグラムに基づいて前記所定の領域の各画像データの濃度傾向を判定する判定手段と、
を備え、
前記設定手段は、前記判定手段による濃度傾向の判定結果を勘案して前記所定の濃度を設定することを特徴とする請求項１から請求項３の何れかに記載の画像処理装置。
【請求項５】
前記特徴抽出手段は、
前記所定の領域の各画像データが、文字、線画、ハーフトーン、濃度の一様なベタの何れに該当するかを判定する画像判定手段をさらに備えることを特徴とする請求項４に記載の画像処理装置。
【請求項６】
請求項１から請求項５の何れかに記載の１または２以上の画像処理装置と、
通信手段を介して前記画像処理装置と接続される１または２以上の情報処理装置と、
から構成されることを特徴とする画像処理システム。
【請求項７】
所定の原稿から画像データを読み取る読取過程と、
該読取過程で読み取られた画像データの所定の領域の濃度を複数段階に変更させる濃度変更過程と、
該濃度変更過程で濃度を変更させた前記所定の領域の各画像データについて濃度に関する特徴を抽出する特徴抽出過程と、
該特徴抽出過程による抽出結果を表示する表示過程と、
該表示過程による表示結果に基づいて前記画像データについての所定の濃度を設定する設定過程と、
該設定過程による設定結果に基づいて前記画像データの画像形成を行う画像形成過程と、
を演算手段に実行させることを特徴とする画像処理プログラム。
【発明の詳細な説明】
【技術分野】
【０００１】
本発明は、画像処理装置、画像処理システムおよび画像処理プログラムに関するものである。
【背景技術】
【０００２】
近年、画像処理装置の一種としての複写機（コピー機）としては、様々な画像加工が可能なデジタル複写機が普及しつつある。
【０００３】
従来のデジタル複写機として、例えば、内部にページメモリを備えたものがある。このようなデジタル複写機では、スキャナで読み取った原稿の一枚分の画像データを一旦ページメモリに記憶させ、ページメモリからプリンタ（画像形成装置）へ転送して印字を行う構成となっており、１回のスキャン走査で複数回の画像形成を繰り返して実行することができ、複写処理の高速化を図ることができる。
【０００４】
ところで、スキャナで読み取る原稿に文字、線画やハーフトーンなどの部分がある場合に、最適な濃度でコピーをとるには、複数回の試しコピーが必要であり、ユーザの作業負担が大きく手間がかかるという問題点があった。
【０００５】
このようなユーザの作業負担を軽減すべく種々の技術が提案されている。
【０００６】
例えば、特開平７−３３６５４０号公報には、画像データのある領域を指定（画像エリア指定）し、その領域の画像を複数段階の濃度でサンプルコピーを印刷出力し、その印刷結果の濃度の良否をユーザが判断して適度な画像濃度を選択するようにした技術が開示されている。
【０００７】
しかしながら、この従来技術では、上記画像エリア指定をユーザが行う必要があり、依然としてユーザの作業負担が多く利便性に劣るという問題があった。また、画像データの何れの領域を指定すれば適度な濃度判断ができるかが難しいという問題もあった。
【特許文献１】特開平７−３３６５４０号公報
【発明の開示】
【発明が解決しようとする課題】
【０００８】
本発明は、簡易な手順で適度な濃度を設定することができ、ユーザの利便性を向上させることができる画像処理装置、画像処理システムおよび画像処理プログラムを提供することを目的とする。
【課題を解決するための手段】
【０００９】
前記課題を解決するため、請求項１の発明に係る画像処理装置は、所定の原稿から画像データを読み取る読取手段と、該読取手段で読み取られた画像データの所定の領域の濃度を複数段階に変更させる濃度変更手段と、該濃度変更手段で濃度を変更させた前記所定の領域の各画像データについて濃度に関する特徴を抽出する特徴抽出手段と、該特徴抽出手段の抽出結果を表示する表示手段と、該表示手段の表示結果に基づいて前記画像データについての所定の濃度を設定する設定手段と、該設定手段による設定結果に基づいて前記画像データの画像形成を行う画像形成手段とを備えることを特徴とする。
【００１０】
請求項２の発明に係る画像処理装置は、前記特徴抽出手段は、前記所定の領域の各画像データにおける最大濃度と最小濃度を抽出することを特徴とする。
【００１１】
請求項３の発明に係る画像処理装置は、前記所定の領域を指定する領域指定手段を備えることを特徴とする。
【００１２】
請求項４の発明に係る画像処理装置は、前記特徴抽出手段は、前記所定の原稿の地肌濃度に応じて前記所定の領域の各画像データについて地肌除去処理を行う地肌除去手段と、該地肌除去手段で地肌除去処理された前記所定の領域の各画像データの画素数を計数する計数手段と、前記地肌除去手段で地肌除去処理された前記所定の領域の各画像データの各画素の濃淡を示す濃淡値と画素数との関係を示すヒストグラムを作成するヒストグラム生成手段と、前記計数手段の計数結果および前記ヒストグラム生成手段で生成されたヒストグラムに基づいて前記所定の領域の各画像データの濃度傾向を判定する判定手段とを備え、前記設定手段は、前記判定手段による濃度傾向の判定結果を勘案して前記所定の濃度を設定することを特徴とする。
【００１３】
請求項５の発明に係る画像処理装置は、前記特徴抽出手段は、前記所定の領域の各画像データが、文字、線画、ハーフトーン、濃度の一様なベタの何れに該当するかを判定する画像判定手段をさらに備えることを特徴とする。
【００１４】
請求項６の発明に係る画像処理システムは、請求項１から請求項５の何れかに記載の１または２以上の画像処理装置と、通信手段を介して前記画像処理装置と接続される１または２以上の情報処理装置とから構成されることを特徴とする。
【００１５】
請求項７の発明に係る画像処理プログラムは、所定の原稿から画像データを読み取る読取過程と、該読取過程で読み取られた画像データの所定の領域の濃度を複数段階に変更させる濃度変更過程と、該濃度変更過程で濃度を変更させた前記所定の領域の各画像データについて濃度に関する特徴を抽出する特徴抽出過程と、該特徴抽出過程による抽出結果を表示する表示過程と、該表示過程による表示結果に基づいて前記画像データについての所定の濃度を設定する設定過程と、該設定過程による設定結果に基づいて前記画像データの画像形成を行う画像形成過程とを演算手段に実行させることを特徴とする。
【発明の効果】
【００１６】
本発明によれば以下の効果を奏することができる。
【００１７】
すなわち、請求項１に記載の発明によれば、本構成を有していない場合に比較して、濃度を変更させた所定の領域の各画像データについて濃度に関する特徴を抽出して濃度設定を行っているので、ユーザの手間を省いて適度な濃度に設定することができるので、利便性を向上させることができる。
【００１８】
請求項２に記載の発明によれば、本構成を有していない場合に比較して、所定の領域の各画像データにおける最大濃度と最小濃度を抽出しているので、より的確に適度な濃度に設定することができる。
【００１９】
請求項３に記載の発明によれば、本構成を有していない場合に比較して、所定の領域を指定する領域指定手段を備えているので、ユーザの意思を反映させてより的確に適度な濃度に設定することができる。
【００２０】
請求項４に記載の発明によれば、本構成を有していない場合に比較して、地肌除去手段と、画素数を計数する計数手段と、ヒストグラム生成手段と、各画像データの濃度傾向を判定する判定手段とを備え、設定手段は、前記判定手段による濃度傾向の判定結果を勘案して前記所定の濃度を設定しているので、より的確に適度な濃度に設定することができる。
【００２１】
請求項５に記載の発明によれば、本構成を有していない場合に比較して、所定の領域の各画像データが、文字、線画、ハーフトーン、濃度の一様なベタの何れに該当するかを判定しているので、画像データの種類に応じてより的確に適度な濃度に設定することができる。
【００２２】
請求項６に記載の発明によれば、本構成を有していない場合に比較して、ユーザの手間を省いて適度な濃度に設定することができるので、利便性を向上させることができる。
【００２３】
請求項７に記載の発明によれば、本構成を有していない場合に比較して、濃度を変更させた所定の領域の各画像データについて濃度に関する特徴を抽出して濃度設定を行っているので、ユーザの手間を省いて適度な濃度に設定することができるので、利便性を向上させることができる。
【発明を実施するための最良の形態】
【００２４】
以下、本発明の一例としての実施の形態を図面に基づいて詳細に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２５】
図１から図９を参照して、本発明についての実施の形態に係る画像処理装置ＳＣ１について説明する。
【００２６】
図１は、画像処理装置ＳＣ１としてのデジタル複写機の構成を示すブロック図である。
【００２７】
図１に示すように、画像処理装置ＳＣ１は、所定の原稿から画像データを読み取る読取手段としての原稿読取部１００と、画像データを一旦格納するページメモリ１０３と、原稿読取部１００で読み取られた画像データの所定の領域の濃度を複数段階に変更させる濃度変更手段および濃度を変更させた前記所定の領域の各画像データについて濃度に関する特徴を抽出する特徴抽出手段としてマイクロコンピュータ等で構成される制御部１０１と、制御部１０１が各種演算処理を行う際の作業領域を提供するワークメモリ１０４と、濃度に関する特徴の抽出結果を表示する表示手段として液晶表示パネル等で構成される表示部１０５と、表示部１０５表示結果に基づいて前記画像データについての所定の濃度を設定する設定手段としてキーボード等で構成されるユーザインターフェイス部１０２と、ユーザインターフェイス部１０２による設定結果に基づいて前記画像データの画像形成を行う画像形成手段としてプリンタエンジン等で構成される出力部１０６とから構成される。
【００２８】
次に図２の機能ブロック図を参照して、上記構成の画像処理装置ＳＣ１の動作について説明する。
【００２９】
まず、原稿読取部１００で読み取られた１ページ分の画像データ（画素）をページメモリ１０３に格納すると同時に、制御部１０１において地肌除去の処理が行われる（ステップＳ２００）。そして、地肌除去結果が複数ライン分にわたってワークメモリ１０４に格納される（ａ）。
【００３０】
次いで、ステップＳ２０１では、制御部１０１において画像データの画素カウント処理が行われる。なお、画素カウント処理および後述のヒストグラム生成処理は、本実施の形態においては処理単位（１ブロック）が１０ｄｏｔ×１０ｄｏｔとするため、地肌除去処理後の画像データの１０ラインを使用することとなる（ｂ）。
【００３１】
画素カウント処理後、１ブロックの画素カウント値をワークメモリ１０４に格納する（ｃ）。
【００３２】
次いで、ステップＳ２０２では、制御部１０１において１ブロックのヒストグラム生成処理が行われ、１ブロックのヒストグラム生成結果をワークメモリ１０４に格納する（ｄ）。
【００３３】
次いで、１ブロックのヒストグラム生成結果に基づいて、最大個数の濃度をワークメモリ１０４に格納する（ｅ）。
【００３４】
そして、ステップＳ２０３では、制御部１０１において１ブロックにおける最高濃度が確定されてステップＳ２０４に移行する。
【００３５】
ステップＳ２０４では、複数ブロックエリアの画像が、文字、ハーフトーンの何れであるかを判定する。
【００３６】
なお、文字、線画、ハーフトーン、濃度の一様なベタの何れであるかを判定するようにしてもよい。
【００３７】
この判定を行う際に、ワークメモリ１０４に格納されている画素カウント結果及び
ヒストグラム生成結果（例えば、３×３ブロックのデータ）を参照する（ｆ）。
【００３８】
次いで、ステップＳ２０５では、濃度バラツキを判定した後、ステップＳ２０６に移行し、ブロック濃度の平均化を行う。
【００３９】
次いで、ステップＳ２０７ではブロック濃度の最大、最小を判定する（ｇ）。
【００４０】
この際に、ワークメモリ１０４内の濃度（最大値／最小値）の画像データと比較して更新分を格納（ｈ）し、最終濃度（最大値／最小値）のブロックの画像位置（メモリアドレス）を参照する（ｉ）。
【００４１】
次いで、ステップＳ２０８では、濃淡画像処理を行って表示部１０５に処理結果を表示する。
【００４２】
表示部１０５の表示は、例えば最終決定された最大／最小濃度のブロック近傍の読み取り画像（ページメモリ１０３のデータ）およびその画像から更に濃淡を数段階変化させた画像を表示するようにできる。
【００４３】
これにより、ユーザは表示部１０５に表示された濃淡が変化された画像を確認して、最適と判断される濃度をユーザインターフェイス部１０２から選択して簡単に設定することができ、ユーザに手間をかけさせずに最適な濃度で画像データの印刷を行うことができる。
【００４４】
次に、図３のフローチャートを参照して、画像処理装置ＳＣ１で実行される画像処理の処理手順について説明する。
【００４５】
まず、ステップＳ３００では、原稿読取部１００により原稿の読み取りが行われてステップＳ３０１に移行する。
【００４６】
ステップＳ３０１では地肌除去処理が行われる。具体的には、例えばユーザ設定の低濃度画像（例として濃度２０）を濃度「０」にすることにより、地肌を除去する。これにより、次工程の画素カウント（ステップＳ３０２）を行う画素対象から地肌部分を除外することができる。なお、地肌除去の結果は、ワークメモリ１０４の領域１０４ｈに格納される。
【００４７】
ステップＳ３０２では、地肌除去を行った画像をもとに、ユーザインターフェイス部１０２から指定された画像ブロックサイズを１ブロックとし、１ブロックあたりの画素をカウントし、画素密度を算出する。なお、画素密度とは、例えば１ブロックが１０×１０の１００画素なら、そのうち画像がある画素はいくつあるかをいう。
【００４８】
ここで、図４および図５を参照して、画素ブロックエリアおよび画素密度範囲について説明する。
【００４９】
図４に示す例では、上述のように、１ブロックを１０ｄｏｔ×１０ｄｏｔとする場合を示す。なお、この例では濃度は１〜５の５段階で示され、「５」が最大濃度を示している。図４に示す例では、画素密度は「２０」である。
【００５０】
また、図５に示す例では、画素密度が０〜６０の範囲は文字または線画、６０〜１００の範囲はハーフトーンまたはベタに相当するとされている。
【００５１】
したがって、図４に示す例は、画素密度が「２０」であるから、画像の種類は文字または線画であると判定されることとなる。
【００５２】
なお、閾値となる画素密度「６０」はユーザが変更できるようにしてもよい。
【００５３】
そして、画素密度「２０」の情報は、図６に示すようにワークメモリ１０４の画素カウントの領域１０４ａに格納される。
【００５４】
次いで、ステップＳ３０３では、ヒストグラムが生成される。
【００５５】
なお、ヒストグラムは、画素カウントで実際に画像のあった画素を濃度階調で統計を取ることにより得られる。
【００５６】
図７に示すヒストグラムの例では、濃度「５」の統計が「８」と最大となっている。
【００５７】
そして、１ブロック単位でヒストグラムをとった結果は、図６に示すようにワークメモリ１０４のヒストグラム分布の領域１０４ｂに格納される。
【００５８】
この様に、地肌画像を除いた画像だけで濃度統計をとることにより、ブロックの濃度傾向（画像データの特徴）を把握することができる。
【００５９】
次いで、ステップＳ３０４では、ブロック濃度レベル決定を行う。即ち、ヒストグラム結果に基づいて一番画素数が多い濃度を判定し、判定結果の濃度値は図６に示すようにワークメモリ１０４のブロック濃度レベルの領域１０４ｃに格納される。
【００６０】
次いで、ステップＳ３０５で１ページ完了か否かが判定され「Ｎｏ」の場合にはステップＳ３０１に戻り、「Ｙｅｓ」の場合にはステップＳ３０６に移行する。
【００６１】
これにより、読み取った原稿一ページ分のヒストグラムがとられ、画像ブロックごとに判定された濃度値がワークメモリ１０４に格納される。
【００６２】
ステップＳ３０６では、複数ブロックエリアの濃度レベル決定が行われる。
【００６３】
そして、判定された各画像ブロックの濃度値をもとに、更に、複数ブロックを対象として、各ブロックの濃度値を足して平均をとり、さらに複数ブロックエリアの濃度レベルを
決めていく。
【００６４】
例えば、図８のＡでは、ブロック３×３を複数ブロックとしている。
【００６５】
この際に、ステップＳ３０２で判定した画素カウントから、対象ブロックが文字、線画なのかあるいは、ハーフトーンまたはベタなのかを図６のワークメモリ１０４の領域１０４ａから読み取って、３×３のブロックの中で文字、線画と判定されたブロックとハーフトーンまたはベタと判定されたブロックの多い方をとりあげ、そのブロックだけで平均をとる。
【００６６】
ここでもし、複数ブロックエリアの各ブロックごとの濃度レベルにバラツキがあった場合は、これを判定し、濃度の特徴（濃いめ、薄め）がある濃度を優先し、個数が多いものから、より濃いもの、より薄いものの濃度を複数ブロックエリアの判定濃度とする。
【００６７】
図７のＣの場合は、レベル５が優先され、判定結果は５になる。
【００６８】
また、異なった濃度で、同一のブロック数があった場合も同様に、より濃いもの、より薄いものを優先して判断する。
【００６９】
以上の様に、複数ブロックエリアが文字、線画なのか、ハーフトーンまたはベタなのか及び、対応する濃度を判断しながら、濃度判定を行う。
【００７０】
この判定された濃度値と複数ブロックエリアの位置情報を、図６のワークメモリ１０４の最終エリア濃度レベル最大値／最小値の所定領域に格納していく。
【００７１】
この際に、文字、線画の場合は、領域１０４ｄ、１０４ｅに、ハーフトーンまたはベタの場合は領域１０４ｆ、１０４ｇに格納する。
【００７２】
そして、図８に示す例では、３×３のブロックサイズを複数ブロックエリアとし、上述の処理を主走査方向、副走査方向に各々１ブロックずつずらしていき、全ブロック（１ページ分）の濃度判定を行う（ステップＳ３０６）。
【００７３】
次いで、ステップＳ３０８では、表示部抽出が行われる。
【００７４】
複数ブロックでの判定では、判定を行う度に、濃度判定された複数ブロック濃度と、図６のワークメモリ１０４の最終エリア濃度レベル最大値／最小値の領域１０４ｄ、１０４ｅ、１０４ｆ、１０４ｇに格納されている濃度を比較し、より濃い、より薄いと判定されたら、ワークメモリの値を更新する。
【００７５】
なお、文字、線画の場合、ハーフトーンまたはベタの場合のそれぞれのワークメモリを更新する。
【００７６】
この様に処理を行なうと、最終的に、濃度最大値、最小値の場合の複数ブロック濃度と、メモリ内の複数ブロックの位置情報が抽出でき、どの部分を表示部１０５に表示させれば良いかを判断できる。
【００７７】
本実施の形態では、表示できる画像サイズは図８に示すＡ、Ｂ、Ｃの太枠サイズになるが、実用的には画像サイズで１０００ｄｏｔ×１０００ｄｏｔ程度（約５ｃｍ×５ｃｍ）の範囲を扱えば有効であると考えられる。
【００７８】
次いで、ステップＳ３０９では、表示部１０５への表示が行われる。
【００７９】
最終判定された、複数ブロックの濃度及びブロック位置情報から、表示部１０５に複数ブロックの位置に対応する読み取り画像データを文字線画の場合とハーフトーンの場合とをページメモリ１０３から読み出し、表示部１０５に並べて表示させる（図９参照）。
【００８０】
この際に、もと画像を中心に濃度を変更した同一画像を併せて表示させるようにしている。
【００８１】
なお、本実施の形態では、図９に示すように濃度変化は３段階になっているが、実用的には濃度段階は７段階以上が適切であると考えられる。
【００８２】
そして、表示部１０５の画像をユーザが目視で確認し、最適と判断される濃度画像をタッチパネル等で構成されるユーザインターフェイス部１０２から選択することにより、その選択された濃度設定で画像データが出力部１０６から印刷出力される。
【００８３】
このように、ユーザは表示部１０５に表示された濃淡が変化された画像を確認して、最適と判断される濃度の画像をユーザインターフェイス部１０２から選択することで、簡単に濃度設定を行うことができ、ユーザに手間をかけさせずに最適な濃度で画像データの印刷（複写）を行うことができる。
【００８４】
以上本発明者によってなされた発明を実施の形態に基づき具体的に説明したが、本明細書で開示された実施の形態はすべての点で例示であって開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈すべきであり、特許請求の範囲の記載技術と均等な技術および特許請求の範囲内でのすべての変更が含まれる。
【００８５】
例えば、図１０に示すように、ＬＡＮ等のネットワークＮを介して画像処理装置（デジタル複写機等）ＳＣ１と、パーソナルコンピュータ等の情報処理装置ＰＣ１，ＰＣ２とサーバＳＡ等を接続した画像処理システムＳ１を構築するようにしてもよい。
【００８６】
なお、接続する画像処理装置ＳＣ１の数は２台以上としてもよい。
【００８７】
また、プログラムを用いる場合には、ネットワークを介して提供し、或いはＣＤ−ＲＯＭ等の記録媒体に格納して提供することが可能である。
【産業上の利用可能性】
【００８８】
本発明による画像処理装置、画像処理システムおよび画像処理プログラムは、スキャナ装置を備えた複写機、複合機等に適用することができる。
【図面の簡単な説明】
【００８９】
【図１】実施の形態に係る画像処理装置ＳＣ１の構成を示すブロック図である。
【図２】画像処理装置ＳＣ１の動作を示す機能ブロック図である。
【図３】画像処理の処理手順を示すフローチャートである。
【図４】画像ブロックエリアの例を示す説明図である。
【図５】画素密度範囲の例を示す説明図である。
【図６】ワークメモリ１０４の情報格納領域を示す説明図である。
【図７】ヒストグラムの例を示すグラフである。
【図８】複数ブロックエリアの例を示す説明図である。
【図９】表示部１０５の表示例を示す説明図である。
【図１０】実施の形態に係る画像処理装置ＳＣ１を備えた画像処理システムＳ１の構成例を示すブロック図である。
【符号の説明】
【００９０】
ＳＣ１  画像処理装置（デジタル複写機）
１００  原稿読取部（読取手段）
１０１  制御部（濃度変更手段、特徴抽出手段、地肌除去手段、画像判定手段、計数手段、ヒストグラム生成手段、判定手段、画像判定手段）
１０２  ユーザインターフェイス部（設定手段、領域指定手段）
１０３  ページメモリ
１０４  ワークメモリ
１０５  表示部
１０６  出力部
Ｓ１  画像処理システム
Ｎ  ネットワーク
ＰＣ１、ＰＣ２  情報処理装置
ＳＡ  サーバ
【図１】
2009171425.tif 000003
【図２】
2009171425.tif 000004
【図３】
2009171425.tif 000005
【図５】
2009171425.tif 000006
【図６】
2009171425.tif 000007
【図８】
2009171425.tif 000008
【図９】
2009171425.tif 000009
【図１０】
2009171425.tif 000010
【図４】
2009171425.tif 000011
【図７】
2009171425.tif 000012